(57)【要約】  安価に製造することが可能であり、故障し難く、かつ、内部の流体の圧力を利用してシール性を高めることができる封止部材を備えた圧力容器を提供する。  本発明の圧力容器（１ｋ）は、封止部材（７，７）の対向面間に環状空間部（１６）が形成され、この環状空間部（１６）の内圧を調節可能に給排気孔（１７）が設けられるとともに、この給排気孔（１７）に対して給排気手段（１８）が接続された構造となっている。また、封止部材（７）はシール面（５ａ）の面積が受圧面（５ｄ）の面積よりも狭くなるように形成されている。
2014002626.tif 000002
【特許請求の範囲】
【請求項１】
内圧が外圧よりも高い状態で使用される圧力容器において、
表裏両面にそれぞれシール面（５ａ）と受圧面（５ｄ）を有しつつ一対の平板状をなす封止部材（７，７）が内側へ突出するように設置された接続部（１２）を備え、
前記封止部材（７，７）は、少なくとも一方の前記シール面（５ａ）が前記受圧面（５ｄ）と反対方向へ突出するように設けられる凸部（１３）の端面に形成され、この凸部（１３）の端面の面積を前記受圧面（５ｄ）の面積よりも狭くして、前記シール面（５ａ）の面積が前記受圧面（５ｄ）の面積よりも狭くなるように形成されたことを特徴とする圧力容器。
【請求項２】
前記封止部材（７）は、前記接続部（１２）の近傍において全周にわたって内壁面（１１ｃ）に環状溝（６）が設けられるようにして形成されたことを特徴とする請求項１記載の圧力容器。
【請求項３】
前記シール面（５ａ）は複数の部分からなり、それらの部分の面積の合計を前記シール面（５ａ）の面積とすることを特徴とする請求項１又は請求項２に記載の圧力容器。
【請求項４】
前記封止部材（７，７）の対向面間に形成される環状空間部（１６）と、
一端がこの環状空間部（１６）に開口するように前記接続部（１２）に形成される給排気孔（１７）と、
この給排気孔（１７）の他端に接続される給排気手段（１８）と、を備えたことを特徴とする請求項１乃至請求項３のいずれか１項に記載の圧力容器。
【請求項５】
前記環状空間部（１６）の内圧を検出する圧力検出手段（２２）を備えたことを特徴とする請求項４に記載の圧力容器。
【発明の詳細な説明】
【技術分野】
【０００１】
本発明は、簡単な構造でありながらシール性に優れた封止部材を備える圧力容器に係り、特に、容器の内部の流体の圧力が外部の流体の圧力よりも高い状態で使用される圧力容器に関する。
【背景技術】
【０００２】
配管や圧力容器あるいは壁部材等の構造体の接続部には、内部の液体や気体等の流体が外部へ漏れ出さないように、若しくは、外部から内部へ異物等が入り込まないように、通常、ガスケット等の封止部材が取り付けられ、ボルト等による締付け力と封止部材の圧縮反力によりシールされている。しかし、封止部材の性能は配管や圧力容器等の安全性に極めて大きな影響を与える。そこで、従来、その接続部のシール性を高めるために様々な研究が行われている。そして、それに関して、既に幾つかの発明や考案が開示されている。【０００３】
例えば、特許文献１には、「ガスケットおよび継ぎ手」という名称で、耐食性及び耐高温性に優れたガスケットと、このガスケットがシール面に凸形のエッジを有するナイフエッジフランジに用いられた継ぎ手に関する発明が開示されている。
特許文献１に開示された発明である継ぎ手は、フランジシール面に凸部が設けられるとともに磁力を有する一組の真空用のフランジの間に、鉄の成分が９９．９５％以上であり、ビッカース硬度が５０Ｈｖから１００Ｈｖのシール面を有するガスケットが設置された構造となっている。
このような構造によれば、銅ガスケットを用いる場合に比べて、耐食性及び耐高温性が向上する。また、磁力によってガスケットをフランジシール面上に固定することができるため、フランジをガスケットに取り付ける際にずれが発生し難い。【０００４】
また、特許文献２には、「メタル継手構造およびインナーグランドの製造方法」という名称で、高真空用又は特殊なガスを流す配管に用いられるメタル継手とそのインナーグランドの製造方法に関する発明が開示されている。
特許文献２に開示された発明であるメタル継手は、鏡面加工されたクリーンステンレス製のガスケットと、このガスケットを挟んで対向配置されるクリーンステンレス製のインナーグランドを備えている。そして、各インナーグランドの端面には、上記ガスケットよりも硬度が高く、かつ、断面が略半円状をなし、別体のフランジ部材によってガスケットの表裏面に垂直方向からのみ押圧可能に環状凸部が形成されている。
このような構造のメタル継手においては、ガスケットとインナーグランドとの接触面がともに鏡面加工されているため、高い密封性能を有する。また、環状凸部の断面が略半円状であるため、ガスケットとの接触状態が安定する。さらに、環状凸部は、ガスケットに対して垂直方向にのみ締め付け力を作用させる構造であるため、ガスケットとの接触面に傷が付き難い。【０００５】
さらに、特許文献３には、「超気密管継手」という名称で、超高真空利用の装置に用いられる管継手に関する考案が開示されている。
特許文献３に開示された考案は、シールボルトとシールチューブの間に設置されたガスケットを、シールボルトに袋ナットを螺合させるようにして挟圧する管継手において、ガスケットがシール面を鏡面とするメタルＣリングからなり、このメタルＣリングの開口部に係止する止め輪を保持可能に、シールチューブと対向するシールボルトの面にホルダが設けられた構造となっている。
このような構造の管継手においては、シール面が横向きや下向きの場合であっても、シールボルトからのガスケットの落下を防ぐことができる。【０００６】
ゲージブロックを大気中でつき合わせると離れなくなる現実を、圧力容器の継手の部分に持ち込んで、容器の内部の流体が外部に漏洩するのを封止する技術である。
次に、特許文献４の第２図によると、圧力容器の筒状部材１の内面から突出する突出部９の基部面１０が内圧側の高圧である流体の圧力を受ける受圧面となる。そして、平滑面である接触面１１がシール面となる。また、突出部９は弾性変形するとある。この提案には容器内の流体の圧力を利用してシールしようとする意図がある。
次に、特許文献５には、「真空容器におけるフランジ部のシール構造及びシール方法」という名称で、真空容器のシール構造が示されているが、真空容器であるので、容器の外側の圧力が内圧よりも高いので図２の盲フランジを見れば外圧を利用してシールできることは当然である。
【先行技術文献】
【特許文献】
【０００７】
【特許文献１】特開２００４−１９０７３５号公報
【特許文献２】特開平８−３１２８５１号公報
【特許文献３】実開平２−１６８９２号公報
【特許文献４】特開昭５８−１７４７６１号公報
【特許文献５】実開昭６０−１１８０６３号公報
【発明の概要】
【発明が解決しようとする課題】
【０００８】
しかしながら、上述の従来技術である特許文献１に開示された発明においては、銅ガスケットを用いた場合と同等の硬度を有しつつ、さらに耐食性や耐高温性が向上するというメリットがあるものの、シール性に関しては従来以上に高めることができないという課題があった。また、ボルトにおける締付け力と磁力によりガスケットを変形させているため、フランジの芯ずれや一時的な変位が発生すると、流体が漏れてしまうという課題があった。さらに、ボルトの締付け力を均等に保つのが難しいという課題もあった。【０００９】
また、特許文献２に開示された発明では、流体が流路からガスケットとインナーグランドの間に入り込む構造となっているため、内部に高圧の流体が流れる配管の継ぎ手として用いた場合、流体の圧力によってボルトの締付け力と逆方向の力が生じ、ガスケットとインナーグランドの間のシール性が低下するおそれがあった。【００１０】
さらに、特許文献３に開示された考案においては、シールボルトに対するガスケットの設置作業を容易に行うことができるものの、シールボルトとシールチューブの接合部分の構造及びガスケットを保持する構造が複雑であるため、安価に製造できないという課題があった。また、チューブ内の流体がシールボルトのシール面とガスケットの間や、シールチューブのシール面とガスケットの間に入り込む構造となっているため、流体の圧力が高い場合には、流体がシールボルトやシールチューブとガスケットをそれぞれ引き離すように作用し、シール性を低下させてしまうおそれがある。従って、本考案の継手は、高圧流体用の配管に適用できないという課題があった。【００１１】
さらに特許文献４においては、第２図で容器の軸に垂直な面における面積について見ると、容器の外周の内側の面積が１番大きくて、容器の内側の面積Ｓａが２番目に大きくて、シール面の面積が３番目に大きくて、最後に４番目として内部流体の圧力を受ける受圧面の面積が最も小さい。
文章の中にこれらの面積に関する記述がない。またボルトの軸力Ｗに関する記述もない。
したがって目視による具体的に明確な容器の軸に垂直な面における面積だけからいえることは、この受圧面の面積をＳｊとおくときに、突出部９が無い時のシール面の面積をＳｂとおくと、この容器のシール面の面積はＳｂ＋Ｓｊとなる。
すなわち受圧面で受けた流体圧力を、受圧面よりも広いシール面積に拡散してしまうのでシール面の面圧を内部流体の圧力よりも常に高く保つことは困難だと推測できる。
すなわち容器内の流体の圧力をＰａ、シール面の面圧をＰｓとすると、ＰａＳｊ＝Ｐｓ（Ｓｂ＋Ｓｊ）の関係になり、Ｐｓ＝ＰａＳｊ／（Ｓｂ+Ｓｊ）となるので、Ｓｊ＜Ｓｂ＋ＳｊであるからＰｓ＜Ｐａとなるのでシール面圧を流体圧力よりも高めることは困難だと推測できる。
さらに特許文献５においては、真空容器は必然的にシール面圧が流体圧力よりも高くなるので本提案の範囲から除外する。
背景技術を上述の範囲で見る限り、圧力容器の継手のシール面の面圧を一定の条件のもとでその流体の圧力によりその流体の圧力よりも常に高く保つ技術が確立していない。
圧力容器のフランジ継手は相対向するシール面を押し合うシール面の面圧が高圧側の流体の圧力よりも低い場合に高圧側の流体が直接シール面に侵入する場合と、相対向する面のうち、シール面以外の面に高圧側の流体がかかるとその対面する面間を拡大させてシール面の面間を開きシール面に高圧側の流体が侵入する場合がある。シール面にいったん高圧側の流体が侵入すると流体はシール面圧より高い流体圧によりシール面の面間を拡大して流路の断面積を拡大して、侵入面積を拡大し、シール面の離反荷重を増加させてゆく。
これに対して、相対面する面のシール面以外の面で高圧側の流体圧がかかる面積を極小にして、シール面の面圧を常に高圧側の流体の圧力よりも高く保つ場合には、シール面に高圧側の流体が侵入するのを防げる。仮に不測の要因でシール面に高圧側の流体が侵入したとしても、この場合には侵入した流体をシール面から排除できる。
このような理由から圧力容器の継手のシール面の面圧を一定の条件のもとで容器内の流体の圧力によりその流体の圧力よりも常に高く保つ技術が必要となる。
さらに同一封止部材にシール面を複数設けて相対向する面との間に空間を作り、その空間の圧力、濃度、成分などの情報を容器の内又は外に導き、安全な場所で多数の継手の漏洩をリアルタイムに集中制御する技術もどうしても必要な技術である。【００１２】
本発明は、このような従来の事情に対処してなされたものであり、安価に製造することが可能であり、故障し難く、かつ、内部の流体の圧力を利用してシール性を高めることができる封止部材を備えた圧力容器を提供することを目的とする。
【課題を解決するための手段】
【００１３】
上記目的を達成するため、請求項１記載の発明は、内圧が外圧よりも高い状態で使用される圧力容器において、表裏両面にそれぞれシール面と受圧面を有しつつ一対の平板状をなす封止部材が内側へ突出するように設置された接続部を備え、封止部材は、少なくとも一方のシール面が受圧面と反対方向へ突出するように設けられる凸部の端面に形成され、この凸部の端面の面積を受圧面の面積よりも狭くして、シール面の面積が受圧面の面積よりも狭くなるように形成されたことを特徴とするものである。
このような構造の圧力容器では、一対の封止部材において、受圧面に加わる流体の圧力がシール面を相手方の部材のシール面に押しつけるように作用する。また、一対の封止部材において、相手方のシール面が突状又は凹状のいずれの形に形成されていても互いのシール面同士が密着し易いという作用を有する。さらに、一対の封止部材において、受圧面に加わる流体の圧力よりも大きな圧力によって、シール面が相手方の部材のシール面に押しつけられるという作用を有する。【００１４】
請求項２記載の発明は、請求項１記載の圧力容器において、封止部材は、接続部の近傍において全周にわたって内壁面に環状溝が設けられるようにして形成されたことを特徴とするものである。
このような構造の圧力容器においては、環状溝の内部に入り込んだ流体の圧力が封止部材の受圧面に加わることによって、シール面が相手方の部材のシール面に押しつけられるという作用を有する。【００１５】
請求項３記載の発明は、請求項１又は請求項２に記載の圧力容器において、シール面が複数の部分からなることを特徴とするものである。
このような構造の圧力容器においては、請求項１又は請求項２に記載の発明の作用に加えて、対向する一対のシール面の間に空間部が形成されるという作用を有する。【００１６】
請求項４記載の発明は、請求項１乃至請求項３のいずれか１項に記載の圧力容器において、封止部材の対向面間に形成される環状空間部と、一端がこの環状空間部に開口するように接続部に形成される給排気孔と、この給排気孔の他端に接続される給排気手段と、を備えたことを特徴とするものである。
このような圧力容器においては、請求項１乃至請求項３のいずれか１項に記載の発明の作用に加えて、給排気手段によって環状空間部内の気体を排出し、その内圧を流体の圧力よりも低くすることで、シール面同士の密着力が強まり、また、給排気手段によって環状空間部内に気体を供給し、その内圧を高くすることで、シール面同士の密着力が弱まるという作用を有する。【００１７】
請求項５記載の発明は、請求項４に記載の圧力容器において、環状空間部の内圧を検出する圧力検出手段を備えたことを特徴とするものである。
このような構造の圧力容器においては、請求項４に記載の発明の作用に加えて、圧力検出手段を用いて環状空間部の内圧を検出することにより、シール面からの流体の漏出の有無が検出されるという作用を有する。
【発明の効果】
【００１８】
本発明の請求項１記載の発明によれば、圧力容器の接続部におけるシール性を容易に高めることができる。また、封止部材は、構造が簡単であるため、故障し難い。加えて、安価に製造することができる。さらに、流体の圧力を利用してシール面同士の密着力を強めることで、十分なシール性を確保できるという効果を奏する。【００１９】
本発明の請求項２記載の発明によれば、請求項１に記載された発明と同様の効果を奏する圧力容器を安価に製造することができる。【００２０】
本発明の請求項３記載の発明によれば、請求項１又は請求項２に記載された発明の効果が同様に発揮される。【００２１】
本発明の請求項４記載の発明によれば、請求項１乃至請求項３のいずれか１項に記載の発明の効果を奏することに加え、保守や点検の作業等において圧力容器を分解する必要がある場合、環状空間部の内圧を高めることでシール面同士の密着力が弱まるため、当該接続部を容易に離反させることができる。【００２２】
本発明の請求項５記載の発明によれば、請求項４に記載の発明の効果を奏することに加え、流体の漏出という異常事態を速やかに検出し、事故の発生を未然に防ぐことができる。
【図面の簡単な説明】
【００２３】
【図１】（ａ）は本発明の実施の形態に係る圧力容器に用いられる封止部材の実施例１が航空機等の壁部材に取り付けられた状態を示す断面図であり、（ｂ）はその封止部材が用いられた圧力容器の断面図である。
【図２】（ａ）は本発明の実施の形態に係る圧力容器に用いられる封止部材の実施例１が航空機等の壁部材に取り付けられた状態を示す断面図であり、（ｂ）はその封止部材が用いられた圧力容器の断面図である。
【図３】（ａ）乃至（ｃ）は図１（ａ）又は図２（ａ）の変形例を示した図である。
【図４】図１（ｂ）の変形例を示した図である。
【図５】図１（ａ）においてシール面の面積が受圧面の面積よりも狭くなるように封止部材が形成された状態を示す図である。
【図６】本発明の実施の形態に係る圧力容器に用いられる封止部材の実施例２が配管用継手に用いられた状態を示す断面図である。
【図７】図６の部分拡大図である。
【図８】図６に示した配管用継手の変形例を示す図である。
【図９】図６に示した配管用継手の変形例を示す図である。
【図１０】本発明の実施の形態に係る圧力容器に用いられる封止部材の実施例３が配管用継手に用いられた状態を示す縦断面図である。
【図１１】本発明の実施の形態に係る圧力容器に用いられる封止部材の実施例４が配管用継手に用いられた状態を示す縦断面図である。
【図１２】図１１の部分拡大図である。
【図１３】図１１に示した配管用継手の変形例を示す図である。
【図１４】図１１に示した配管用継手の変形例を示す図である。
【図１５】本発明の実施の形態に係る圧力容器に用いられる封止部材の実施例５が配管用継手に用いられた状態を示す縦断面図である。
【図１６】図１５の部分拡大図である。
【図１７】本発明の実施の形態に係る圧力容器の実施例６の縦断面図である。
【図１８】本発明の実施の形態に係る圧力容器に用いられる封止部材の実施例７が航空機等の機体や隔室の壁部材の接続部に用いられた状態を示す縦断面図である。
【発明を実施するための形態】
【００２４】
本発明の実施の形態に係る圧力容器の他、それに用いられる封止部材が壁部材及び配管ユニットの接続部に用いられる場合を例にとり、図１〜図１８を参照しながら本発明の構成とそれに基づく作用・効果について具体的に説明する。
【実施例１】
【００２５】
本実施例の封止部材は、船舶や航空機などの壁部材や圧力容器のように、内部に存在する液体や気体などの流体と、外部に存在する液体や気体などの流体との間に圧力差が発生している状態で用いられる構造体の接続部に用いられるものである。以下、その構造について、図１〜図５を用いて説明する。
なお、図１〜図５は壁部材と封止部材あるいは圧力容器の壁面と封止部材に対してそれぞれ直交する平面で切断した状態を示す断面図である。また、図１（ａ）及び図１（ｂ）は内圧Ｐ１が外圧Ｐ２よりも高い場合に対応し、図２（ａ）及び図２（ｂ）は外圧Ｐ２が内圧Ｐ１よりも高い場合に対応する。さらに、図３及び図４は図１及び図２の変形例を示した図である。【００２６】
図１（ａ）又は図１（ｂ）に示すように、封止部材７は平板状をなし、両面にシール面５ａと受圧面５ｄがそれぞれ形成されている。そして、シール面５ａは、受圧面５ｄと反対方向へ突出するように設けられる凸部１３（図３（ａ）に拡大して表示）に形成されるとともに鏡面加工が施されている。また、封止部材７は、内部へ突出するように壁部材１１ａや圧力容器１１ｂの接続部１２に設置されている。
なお、図１（ａ）及び図２（ａ）では、図示されていないが、内部の圧力を維持するため、壁部材１１ａ，１１ａの両端は閉塞されている。また、図１（ｂ）及び図２（ｂ）に示した圧力容器１１ｂは中空構造であるため、封止部材７は環状をなしている。【００２７】
上記構造の封止部材７においては、壁部材１１ａや圧力容器１１ｂの内部に存在する流体の圧力が受圧面５ｄに加わり、封止部材７のシール面５ａが他方の封止部材７のシール面５ａに押し付けられるという作用を有する。従って、封止部材７，７を壁部材１１ａや圧力容器１１ｂの接続部１２に用いた場合、内部の流体の圧力が封止部材７，７に対して両側から挟み込むように加わるため、シール面５ａ，５ａが互いに押し付け合わされるという作用を有する。
なお、シール面５ａには鏡面加工が施されているため、シール面５ａ，５ａの間に流体が入り込み難い。
また、封止部材７はシール面５ａが受圧面５ｄと反対方向へ突出するように形成されているため、仮に他方の封止部材７のシール面５ａが平坦ではなく、突状又は凹状に形成されていたとしても、シール面５ａ，５ａが互いに密着し易いという作用を有する。【００２８】
このように、本発明の封止部材７によれば、壁部材１１ａや圧力容器１１ｂの接続部１２におけるシール性を容易に高めることができる。また、封止部材７は、構造が簡単であるため、故障し難い上、製造コストや設置コストを安くすることができる。従って、本発明の封止部材７を壁部材１１ａや圧力容器１１ｂに用いることによれば、製造コストを削減することが可能である。
なお、本明細書では、上記構造の壁部材１１ａが機体や隔室の壁に利用された宇宙船、宇宙服、ロケット、航空機、船舶、潜水艇、深海艇等を「壁構造物完成品」といい、上記構造の圧力容器１１ｂが容器本体に利用されたボイラー、塔槽類、熱交換器、タンク等を「圧力容器完成品」というものとする。さらに、本明細書において、例えば、塔槽類、ボイラー、熱交換器、真空機器、油圧機器、ポンプ、バルブ、計装機器、タンク等を配管や電気配線等で有機的に結び付けて、ある目的の生産物を生産する工場設備一式を特に「プラント」というものとする。【００２９】
封止部材７，７において、受圧面５ｄ，５ｄに加わる流体の圧力が高いほど、シール面５ａ，５ａのシール性が高まる。従って、内圧Ｐ１の方が外圧Ｐ２よりも高い場合には、図１（ａ）及び図１（ｂ）に示すように、封止部材７，７は流体の圧力が高い方、すなわち、壁部材１１ａや圧力容器１１ｂの内側へ突出するように形成されることが望ましい。【００３０】
一方、外圧Ｐ２が内圧Ｐ１よりも高い場合には、図１（ａ）又は図１（ｂ）において、封止部材７が壁部材１１ａや圧力容器１１ｂの外側へ突出するように形成されることが望ましい（図２（ａ）及び図２（ｂ）参照）。
このような構造によれば、壁部材１１ａや圧力容器１１ｂの外部に存在する流体の圧力が、封止部材７，７を両側から挟み込むように押しつけて、シール面５ａ，５ａにおける密着力を強めるように作用するため、壁部材１１ａや圧力容器１１ｂの接続部１２におけるシール性を容易に高めることができる。【００３１】
なお、図１（ａ）や図２（ａ）では、封止部材７が壁部材１１ａに対して直交するように設けられているが、必ずしもこのような構造でなくとも良い。例えば、図３（ａ）に示すように、封止部材７が壁部材１１ａに対して平行に設けられた構造であっても良い。また、封止部材７が壁部材１１ａに対して０度や９０度以外の任意の角度をなすように設けられていても良い。
さらに、シール面５ａが受圧面５ｄの方向へ凹むように設けられる凹部１４に形成された構造であっても良い。このような構造によれば、凹部１４でガスケット１０ａが保持される。従って、シール面５ａにガスケット１０ａを設置して、シール面５ａの密着性を高めることができる。なお、シール面５ａに対する鏡面加工を省略することもできる。【００３２】
また、図３（ｂ）に示すように、壁部材１１ａに対して封止部材７と逆方向へ突出するようにフランジ２を設け、互いに突き合わされた状態のフランジ２，２がボルト４ａとナット４ｂを用いて締結された構造とすることもできる。
あるいは、図３（ｃ）に示すように、封止部材７にボルト穴を設け、封止部材７，７を互いに突き合わせた状態でボルト４ａとナット４ｂによって締結しても良い。
このように、ボルト４ａとナット４ｂを用いてフランジ２，２や封止部材７，７をそれぞれ締結することによれば、封止部材７，７がシール面５ａに平行な方向へ互いにずれないように拘束されるため、シール面５ａにおけるシール性が高まる。【００３３】
さらに、図４に示すように、図１（ｂ）において、圧力容器１１ｂの内壁面１１ｃに対し全周にわたって環状溝６を設けることによって封止部材７を形成しても良い。また、図４では、ボルト４ａとナット４ｂを用いてフランジ２，２を締結する構造としている。なお、ボルト４ａとナット４ｂを用いてフランジ２，２を締結することによって発揮される作用は、前述した壁部材１１ａの場合と同様である。
この場合、接続部１２に封止部材７を容易に形成することができる。そして、環状溝６の内部に入り込んだ流体の圧力が封止部材７の受圧面５ｄに加わり、シール面５ａにおける密着力を強めるように作用するため、接続部１２において十分なシール性が発揮される。すなわち、上記構造によれば、接続部１２のシール性に優れる圧力容器１１ｂを安価に製造することが可能である。
なお、環状溝６の深さは図４に示す場合に限定されない。例えば、環状溝６は内壁面１１ｃの板厚部分を超えて、その一部がフランジ２の内部に形成されていても良い。また、後述の図７、図８及び図１０〜１７においても同様である。【００３４】
図１〜図３に示した例では、壁部材１１ａや圧力容器１１ｂと同じ材質の山形材、Ｔ形材、角材等を加工して封止部材７を形成し、材質に適した接合方法で壁部材１１ａや圧力容器１１ｂと一体化させることができる。また、図４に示した圧力容器１１ｂは、一般の規格化されたフランジの内周に溝を切り込んだ構造であるため、フランジの設計加工手順で製作した物を接合して一体化させれば良い。ただし、このような方法に限らず、鋳造や射出成型等によって封止部材７を壁部材１１ａや圧力容器１１ｂと一体的に形成しても良い。
また、図１、図２及び図４に示した圧力容器１１ｂは、円筒形状に限らず、角筒形状等であっても良い。【００３５】
ここで、封止部材７において、受圧面５ｄとシール面５ａの面積がシール性に及ぼす影響について図５を用いて説明する。
図５は本実施例の封止部材７が壁部材１１ａの接続部１２に取り付けられた状態を示す模式図であり、図１（ａ）においてシール面５ａの面積が受圧面５ｄの面積よりも狭くなるように封止部材７が形成された場合に相当する。なお、図５では、図が煩雑になるのを避けるため、一方の壁部材１１ａの封止部材７に作用する圧力のみを図示している。
また、ここでは、壁部材用の継手構造を例にとって説明するが、以下の説明は圧力容器用の継手構造や後述する配管用の継手構造に対しても同様に当てはまるものである。
なお、内圧Ｐ１が外圧Ｐ２よりも高い状態で使用される圧力容器では、開閉方向に対して直交する面であって、内圧Ｐ１と外圧Ｐ２が加わる面の面積をそれぞれＳａ及びＳとおき、ボルト４ａとナット４ｂの締付け力をＷとおくと、Ｗ＋Ｐ２Ｓ＞Ｐ１Ｓａが成り立つ。ただし、外圧Ｐ２が圧力容器を閉める方向へ作用する場合に、外圧Ｐ２が加わる面の面積がＳであり、このＳには、後述する受圧面５ｆの面積Ｓ４は含まれない。そして、Ｐ２Ｓ＞Ｐ１Ｓａが成り立つ場合には、ボルト４ａとナット４ｂの締付け力Ｗを省略しても良い。
また、図５は内圧Ｐ１が外圧Ｐ２よりも高く、封止部材７が内側に突出するように形成されている場合を示しているが、外圧Ｐ２が内圧Ｐ１よりも高く、封止部材７が外側に突出するように形成されている場合には、以下の式（１）においてＰ１とＰ２を置き換えて考えれば良い。【００３６】
図５に示すように、内圧Ｐ１，外圧Ｐ２の作用によりシール面５ａから相手方の封止部材７のシール面５ａに加わる圧力をＱとする。さらに、シール面５ａと同じ側にあって内圧Ｐ１，外圧Ｐ２が加わる面をそれぞれ受圧面５ｅ，５ｆとする。
このとき、圧力Ｑはシール面５ａの面積Ｓ１、受圧面５ｄ〜５ｆの面積Ｓ２〜Ｓ４を用いると、次のように表わされる。【００３７】
【数１】
2014002626.tif 000003
【００３８】
式（１）から、内圧Ｐ１，外圧Ｐ２が一定のとき、Ｓ１とＳ３を小さくすると、Ｑが大きくなることがわかる。ただし、Ｓ１とＳ３を小さくするということはシール面５ａと受圧面５ｅの面積を小さくし、受圧面５ｆの面積Ｓ４を大きくするということを意味する。従って、内圧Ｐ１，外圧Ｐ２の差が小さい場合には、式（１）の右辺第２項の影響が大きくなってしまう。しかし、式（１）の右辺第２項の影響を無視できる程度に、内圧Ｐ１，外圧Ｐ２の差が大きい場合には、シール面５ａを封止部材７の先端近傍に設けて受圧面５ｅの面積Ｓ３をできるだけ小さくするとともに、シール面５ａの面積Ｓ１を小さくすることが望ましい。
このような構造の封止部材７においては、受圧面５ｄに加わる内圧Ｐ１よりも大きな圧力Ｑによって、シール面５ａが相手方の部材のシール面５ａに押しつけられるという作用を有する。この場合、シール面５ａの密着力を強めることで、接続部１２において十分なシール性が確保できるという前述の効果が、より一層発揮される。
なお、上述の壁部材１１ａや圧力容器１１ｂの継手構造をそれぞれ備えた壁構造物完成品及び圧力容器完成品においても壁部材１１ａや圧力容器１１ｂの継手構造における上記作用及び効果は同様に発揮される。また、封止部材７を備えたプラントにおいても上述の封止部材７の作用及び効果は同様に発揮される。【００３９】
本実施例では、シール面５ａの密着性を高める方法として鏡面加工を例示しているが、これに限らず、シール面５ａにメッキを施すことで面精度を高めることができる。また、周囲の部材よりも表面硬度の低い材質をコーティングすることによりシール面同士のなじみを良くしても良い。このような方法によっても上述した作用及び発明は同様に発揮される。
さらに、シール面同士の位置ずれを防止するために、リーマーボルトやノックピンを用いる方法を採用することができる。【００４０】
前述のとおり、本発明の封止部材７では、シール面５ａに高い面精度が要求される。従って、本発明の普及により、シール面５ａを高精度で加工する技術に対する需要が高まり、ナノテクノロジーの発展が促進される。
【実施例２】
【００４１】
前述の封止部材が、液体や気体などの流体の輸送等に用いられる配管において、バルブやパイプなどの部品の接続部に取り付けられる配管用継手に用いられる場合について説明する。
図６は、封止部材７が配管用継手１ａに用いられた状態を示す断面図であり、図７は、その作用を説明するための図である。さらに、図８及び図９は図６に示した配管用継手の変形例を示す図である。
なお、図６〜図９は配管の中心軸を含む平面で切断した状態を示す断面図である。また、図７は図６の部分拡大図に相当する。さらに、図６では、配管用継手のみを断面表示としている。そして、図７では、配管用継手についても、断面であることを示すハッチングを省略している。【００４２】
図６に示すように、配管用継手１ａは金属製であり、一方の端面がシール面５ａを構成し、他方の端面が他のパイプ等の壁部材との接続面５ｂを構成している。そして、シール面５ａには鏡面加工が施されている。なお、配管用継手１ａは金属製に限らず、プラスチック製であっても良い。
また、接続部１２の近傍において、円周方向に複数のボルト穴を有するドーナツ板状のフランジ２が外周面５ｇに立設されている。すなわち、配管用継手１ａ，１ａは、シール面５ａ，５ａを互いに突き合わせた状態でボルト４ａとナット４ｂを用いてフランジ２，２を締結することにより接続される構造となっている。
さらに、配管用継手１ａのシール面５ａの近傍には、円環板状の封止部材７が形成されるように、内周面５ｃの全周にわたって環状溝６が設けられている。すなわち、環状溝６に面する封止部材７の側面は受圧面５ｄを構成している。【００４３】
ボルト４ａとナット４ｂによってフランジ２，２が締結された状態にある配管用継手１ａ，１ａにおいては、ボルト４ａの締め付け力が、シール面５ａ，５ａを密着させると同時に相互の位置関係を維持する力として働く。
また、図７に示すように、流路３の内部を流れる流体は、環状溝６の内部にも入り込むため、その圧力（以下、内圧Ｐいう。）は、内周面５ｃだけでなく、受圧面５ｄにも加わる。すなわち、内圧Ｐは封止部材７，７を両側から挟み込むように押しつけて、その密着力を強めるように作用する。
これにより、シール面５ａ，５ａのシール性が高まる。【００４４】
なお、封止部材７は、内周面７ａが配管用継手１ａの内周面５ｃと同一平面をなすように形成されているため、配管用継手１ａの流路３の内部を流れる流体に対して、障害となることはない。【００４５】
このように、封止部材７を備えた配管用継手１ａによれば、流路３の内部を流れる流体の圧力を利用してシール面５ａの密着力を強めることで、配管等の接続部１２において十分なシール性を得ることができる。また、封止部材７は、配管用継手１ａの一部として形成されており、構造が簡単であるため、故障し難いうえ、安価に製造することが可能である。
さらに、ガスケットの選定の手間を省略できる。加えて、相手方の部材が既存のものであっても適用できるため、汎用性が高い。
なお、上記構造の配管用継手１ａは、ポンプ、コンプレッサー、弁類、計装機器、ボイラー、塔槽類、熱交換器、タンク等を繋ぐ配管に利用できる。【００４６】
図８に示すように、配管用継手１ａには、環状溝６及び封止部材７が形成されていない配管用継手１ｂを接続することもできる。このような場合にも、流路３の内部を流れる流体の圧力が、配管用継手１ａに設けられた封止部材７の受圧面５ｄに加わることによってシール面５ａ，５ａの密着力が高められるため、配管用継手１ａと配管用継手１ｂの接続部１２において、十分なシール性を確保することができる。
なお、図８に示した配管用継手１ａ，１ｂでは、シール面５ａに鏡面加工を施す代わりに、渦巻きガスケット１０ｂが設置された構造となっている。【００４７】
本実施例の配管用継手１ａは内部の流体の圧力が外部の流体の圧力よりも高い状態で使用される配管に対して特に有効である。しかし、内部の流体の圧力よりも外部の流体の圧力の方が高い状態で使用される配管に対しては、図９に示す配管用継手１ｃを用いることが望ましい。
具体的に説明すると、図９に示すように、配管用継手１ｃは、配管用継手１ａにおいて、封止部材７が接続部１２の近傍において外周面５ｇに立設するように設けられるとともに、フランジ２及び環状溝６が設けられる代わりに、封止部材７がボルト４ａとナット４ｂによって締結された構造となっている。
このような構造の配管用継手１ｃにおいては、配管用継手１ａと同様の作用及び効果が、内部の流体の圧力よりも外部の流体の圧力の方が高い場合において有効に発揮される。すなわち、配管用継手１ｃは、石油、天然ガス、メタンハイドレイドなどの海底地下資源等を地上に搬送する配管や内部が真空状態で使用される配管等に利用できる。
【実施例３】
【００４８】
封止部材７を備えた配管の継手構造の他の実施例について図１０を用いて説明する。
図１０は、封止部材７が配管用継手１ｄ，１ｅに用いられた状態を示す断面図である。なお、図１０は配管の中心軸を含む平面で切断した状態を示す断面図である。また、図６〜図９に示した構成要素については、同一の符号を付してその説明を省略する。さらに、図１０では、配管用継手について、断面であることを示すハッチングを省略している。そして、本明細書では、以下に説明する配管用の継手構造を備えた配管で接続されるもの及び配管を配管ユニットというものとする。
図１０に示すように、配管用継手１ｄは、実施例２の配管用継手１ａにおいて受圧面５ｄと反対方向へ突出するように形成される円筒状の凸状部８ａにシール面５ａが設けられ、配管用継手１ｅは、この凸状部８ａに対して係合可能に凹状部９ａが形成されている。このような構造によれば、凸状部８ａ及び凹状部９ａは、配管用継手１ｄ，１ｅを接続した場合に、シール面５ａに平行な方向へ互いに移動しないように拘束するという作用を有する。
なお、上述の配管用の継手構造を備えた配管ユニットにおいても上記作用及び効果は同様に発揮される。
また、本実施例では、凸状部８ａを円筒状としているが、これに限らず、例えば、凸状部８ａは角筒状であっても良い。【００４９】
実施例２の配管用継手１ａでは、図６に示した状態において、配管に振動等が加わると、封止部材７，７がせん断力を受けて、シール面５ａに平行な方向へわずかながら、ずれるおそれがある。なお、封止部材７，７がずれて、シール面５ａが流体に接触した場合、内圧Ｐは封止部材７，７を互いに引き離すように作用する。その結果、シール面５ａ，５ａのシール性が低下してしまう。
これに対し、上記構造の配管用継手１ｄ，１ｅにおいては、図１０に示したように、凸状部８ａに凹状部９ａが係合するため、配管に振動等が加わって封止部材７，７がせん断力を受けた場合でも、シール面５ａに平行な方向へずれ難い。従って、接続部１２におけるシール性の低下を防ぐことができる。
【実施例４】
【００５０】
封止部材７を備えた配管の継手構造の他の実施例について、さらに図１１を用いて説明する。なお、前述したように、以下の説明は、封止部材７を備えた圧力容器についても同様に当てはまるものである。そして、内圧Ｐ１が外圧Ｐ２よりも高い状態で、この圧力容器が使用される場合には、前述したように、開閉方向に対して直交する面であって、内圧Ｐ１と外圧Ｐ２が加わる面の面積をそれぞれＳａ及びＳとおき、ボルト４ａとナット４ｂの締付け力をＷとおくと、Ｗ＋Ｐ２Ｓ＞Ｐ１Ｓａが成り立つ。ただし、外圧Ｐ２が圧力容器を閉める方向へ作用する場合に、外圧Ｐ２が加わる面の面積がＳであり、このＳには、前述した受圧面５ｆの面積Ｓ４は含まれない。そして、Ｐ２Ｓ＞Ｐ１Ｓａが成り立つ場合、ボルト４ａとナット４ｂの締付け力Ｗを省略することができる。【００５１】
図１１は、封止部材７が配管用継手１ｆ，１ｇに用いられた状態を示す縦断面図であり、図１２は、その作用を説明するための図である。さらに、図１３及び図１４は図１１に示した配管用継手の変形例を示す図である。
なお、図１１〜図１４は配管の中心軸を含む平面で切断した状態を示す断面図である。また、図１２は図１１の部分拡大図に相当する。さらに、図６〜図１０に示した構成要素については、同一の符号を付してその説明を省略する。そして、図１１〜図１４では、断面であることを示すハッチングを省略している。【００５２】
図１１に示すように、配管用継手１ｆは、実施例３の配管用継手１ｄにおいて、凸状部８ａに代えて、シール面５ａの面積が受圧面５ｄの面積よりも狭くなるように凸状部８ｂが形成された構造となっている。
また、フランジ継手１ｇは、フランジ継手１ｅにおいて、環状溝６が設けられず、かつ、凹状部９ａに代えて、凸状部８ｂを遊嵌可能な凹状部９ｂが形成された構造となっている。【００５３】
図１２において、内圧Ｐ１の作用によって配管用継手１ｇのシール面５ａが配管用継手1ｆのシール面５ａから受ける圧力Ｑは、前述の式（１）の右辺第２項が無視できるほど内圧Ｐ１が外圧Ｐ２に比べて十分に大きい場合、配管用継手１ｆのシール面５ａの面積Ｓ１及び及び受圧面５ｄの面積Ｓ２を用いると、次のように表わされる。【００５４】
【数２】
2014002626.tif 000004
【００５５】
式（２）より、Ｑ＞Ｐ１となる。すなわち、内圧Ｐ１の作用によって配管用継手１ｇのシール面５ａが配管用継手1ｆのシール面５ａから受ける圧力Ｑは、内圧Ｐ１よりも大きくなる。
このように、上記構造の配管用継手1ｆにおいては、受圧面５ｄに加わる内圧Ｐ１よりも大きな圧力がシール面５ａから配管用継手１ｇのシール面５ａに加わるという作用を有する。従って、流路３の内部の流体の圧力を利用して、シール面５ａの密着力を高めることで、接続部１２において十分なシール性が確保できるという実施例１で説明した効果が、より一層発揮される。【００５６】
なお、本実施例では、環状溝６が設けられていない配管用継手１ｇと、環状溝６が設けられたフランジ継手１ｆを接続した場合について説明したが、例えば、図１３に示すように、配管用継手１ｆ，１ｆ同士を接続することもできる。
このような場合にも本実施例で説明した上述の作用及び効果は同様に発揮される。
また、図１４に示すように、配管用継手１ｆ，１ｇの代わりに、配管用継手１ｈ，１ｉを用いることもできる。
なお、配管用継手１ｈは、配管用継手１ｆにおいて、凸状部８ｂに代えて、シール面５ａの面積が受圧面５ｄの面積よりも狭くなるように、シール面５ａが円環状の凸状部８ｃに形成された構造となっている。
また、配管用継手１ｉは、配管用継手１ｈにおいて、凸状部８ｃが設けられる代わりに、凸状部８ｃを遊嵌可能に環状溝１５が設けられるとともに、この環状溝１５の内部に円環状のガスケット１０ｃが設置された構造となっている。すなわち、配管用継手１ｉでは、環状溝１５の底面がシール面５ａを構成している。【００５７】
このような構造の配管用継手１ｈ，１ｉを接続した場合でも、上述の作用及び効果は同様に発揮される。なお、ガスケット１０ｃが配管用継手１ｈのシール面５ａと配管用継手１ｉのシール面５ａの間に介設されているため、これらのシール面５ａ，５ａには、必ずしも鏡面加工を施す必要はない。
また、環状溝１５の内部に円環状のガスケット１０ｃを設置しない場合、環状溝１５が設けられた面（配管用継手１ｈに当接する面）がシール面となる。すなわち、環状溝１５を挟み、流路３に近い側と遠い側にそれぞれシール面が形成される。そして、このような構造によれば、後述するように、環状溝１５によって封止部材７，７の対向面間に環状空間部が形成されることになる。
【実施例５】
【００５８】
封止部材７を備えた配管の継手構造の他の実施例について図１５及び図１６を用いて説明する。
図１５は封止部材７が配管用継手１ｉ，１ｊに用いられた状態を示す縦断面図であり、図１６は、その作用を説明するための図である。なお、図１６では配管用継手１ｉ，１ｊについて、断面を示すハッチングを省略している。また、図１１〜図１４に示した構成要素については、同一の符号を付して、その説明を省略する。
図１５に示すように、本発明の配管の継手構造に用いられる配管用継手１ｊは、図１４で示した配管用継手１ｈ，１ｉにおいて、環状溝１５と凸状部８ｃにより、封止部材７，７の対向面間に環状空間部１６が形成され、この環状空間部１６の内圧を調節可能に、配管用継手１ｈに対し給排気孔１７が設けられるとともに、この給排気孔１７に対して給排気手段１８が接続されたことを特徴とする。また、封止部材７はシール面５ａの面積が受圧面５ｄの面積よりも狭くなるように形成されている。
なお、給排気孔１７は、凸状部８ｃの表面に一方の開口端が設けられ、フランジ２の表面に他方の開口端が設けられている。また、配管用継手１ｉは、図１４に示した場合とは異なり、環状溝１５の内部にガスケット１０ｃは設置されていない。【００５９】
給排気手段１８は、給排気孔１７に一端が接続される給排気管１９と、給排気管１８の他端に対し、出力側が接続される開放電磁弁２０ａ及び排気用電磁弁２０ｂと、入力側が接続される給気用電磁弁２１と、圧力センサ２２と、真空ポンプ２３及び給気ポンプ２４と、制御部２５によって構成されている。
なお、開放電磁弁２０ａの出力側は大気に開放され、排気用電磁弁２０ｂの出力側と給気用電磁弁２１の入力側には、真空ポンプ２３及び給気ポンプ２４がそれぞれ接続されている。すなわち、圧力センサ２２は環状空間部１６の内圧を給排気孔１７と給排気管１８を通して検出する圧力検出手段として機能し、圧力センサ２２による検出値は制御部２５に送られる。この検出値に基づいて、制御部２５は開放電磁弁２０ａ、排気用電磁弁２０ｂ及び給気用電磁弁２１に対してそれぞれ開信号又は閉信号を送り、真空ポンプ２３及び給気ポンプ２４に対して稼働信号又は停止信号を送る。【００６０】
このように構成される給排気手段１８において、制御部２５からの閉信号及び開信号に従って、開放電磁弁２０ａ及び給気用電磁弁２１が閉じられるとともに排気用電磁弁２０ｂが開かれる。さらに、制御部２５からの稼働信号に従って真空ポンプ２３が運転を開始すると、環状空間部１６の気体が給排気孔１７及び給排気管１９を通して強制的に配管用継手１ｊの外部へ排出される。そして、圧力センサ２２による検出値が所定の値に達すると、制御部２５からの停止信号に従って、真空ポンプ２３が停止し、閉信号に従って排気用電磁弁２０ｂが閉じられる。これにより、環状空間部１６の内部が所定の圧力まで減圧され、シール面５ａの密着力が強まる。
一方、制御部２５の開信号に従って開放電磁弁２０ａが開くと、配管用継手１ｊの外部の空気が給排気孔１７及び給排気管１９を通して環状空間部１６へ流入する。その結果、環状空間部１６の圧力が大気圧と等しくなり、シール面５ａの密着力が弱まる。そして、制御部２５の閉信号及び開信号に従って、それぞれ開放電磁弁２０ａが閉じるとともに給気用電磁弁２１が開き、さらに、制御部２５の稼働信号に従って給気用ポンプ２４が運転を開始すると、配管用継手１ｊの外部の空気が給排気孔１７及び給排気管１９を通して環状空間部１６へ強制的に送り込まれる。これにより、環状空間部１６の圧力が大気圧よりも高くなり、シール面５ａの密着力がさらに弱まる。
また、本発明の配管の継手構造においては、圧力センサ２２を用いて環状空間部１６の内圧を検出することで、シール面５ａからの流体の漏出の有無が検出される。したがって、本発明によれば、流体の漏出という異常事態を速やかに検出し、事故の発生を未然に防ぐことができる。【００６１】
ここで、環状空間部１６の内圧の作用について図１６を用いて説明する。
図１６に示すように、内圧Ｐ１の作用によって配管用継手１ｊのシール面５ａが配管用継手1ｉのシール面５ａから受ける圧力Ｑは、環状溝１５の内面１５ａ（封止部材７の受圧面５ｄに平行な面）の面積をＳ６、環状空間部１６の内圧をＰ３とおくと、シール面５ａの面積Ｓ１及び及び受圧面５ｄの面積Ｓ２を用いて、次のように表わされる。なお、図１６では、環状溝１５を挟み、流路３に近い側と遠い側の２箇所に、それぞれシール面５ａが形成されている。このように、シール面５ａが複数存在する場合、すべてのシール面５ａの面積を合計したものが、面積Ｓ１となる。【００６２】
【数３】
2014002626.tif 000005
【００６３】
式（３）より、Ｐ１＞Ｐ３であれば、常にＱ＞０となる。すなわち、内圧Ｐ３が内圧Ｐ１よりも低くなるように給排気手段１８によって環状空間部１６が減圧された場合、内圧Ｐ１と外圧Ｐ２の大小関係に関わらず、内圧Ｐ３が低いほど、圧力Ｑは高くなり、配管用継手１ｊのシール面５ａと配管用継手1ｉのシール面５ａとの密着力が強まるという作用を有する。そして、内圧Ｐ３が内圧Ｐ１に比べて無視できる程度に十分小さい場合、内圧Ｐ１の作用によって配管用継手１ｊのシール面５ａが配管用継手1ｉのシール面５ａから受ける圧力Ｑは、内圧Ｐ１よりも大きくなる。一方、給排気手段１８によって環状空間部１６に気体が供給され内圧Ｐ３が高くなると、配管用継手１ｊのシール面５ａと配管用継手1ｉのシール面５ａとの密着力が弱まるという作用を有する。
すなわち、配管用継手１ｉ，１ｊを配管の接続部に用いることによれば、流体の圧力を利用してシール面５ａ，５ａの間の密着力を強めることで、十分なシール性を確保することができる。特に、保守や点検の作業等において配管を分解する必要がある場合、環状空間部１６の内圧を高めることで上記密着力が弱まるため、配管の接続部を容易に離反させることができる。
【実施例６】
【００６４】
封止部材７を備えた圧力容器の実施例について図１７を用いて説明する。図１７は封止部材７が圧力容器１ｋの接続部１２に用いられた状態を示す縦断面図である。なお、図４及び図１５に示した構成要素については、同一の符号を付して、その説明を省略する。
図１７に示すように、圧力容器１ｋは、図４を用いて既に説明した圧力容器１１ｂに対して実施例５の発明を適用したものである。したがって、このような圧力容器においては、実施例５の発明における作用及び効果が同様に発揮される。
【実施例７】
【００６５】
封止部材７を備えた壁部材の継手構造の実施例について図１８を用いて説明する。図１８は封止部材７が航空機等の機体や隔室等の構造体の壁部材１１ｄの接続部１２に用いられた状態を示す縦断面図である。なお、図示していないが、開放電磁弁２０ａの出力側は、構造体の外部へ通じるように壁部材１１ｄに設けられた流路に接続されている。また、図１及び図１５に示した構成要素については、同一の符号を付して、その説明を省略する。【００６６】
図１７に示すように、壁部材１１ａは、図１を用いて既に説明した壁部材１１ａに対して実施例５の発明を適用したものである。ただし、図１８に示す構造体は、一般に、圧力容器や配管のように円筒状とは限らないため、環状溝１５によって封止部材７，７の対向面間に環状空間部１６を形成する代わりに、溝２６によって空間部２７が形成されている。なお、図１８では、図を簡略化するため、便宜上、空間部２７の１つに給排気孔１７を介して給排気手段１８が接続された状態が示されているが、実際には、すべての空間部２７に対し給排気孔１７を介して給排気手段１８が接続された構造となっている。
このような壁部材の継手構造においては、実施例５の発明における作用及び効果が同様に発揮される。【００６７】
なお、実施例５〜７では、環状溝１５又は溝２６と凸状部８ｃによって、封止部材７，７の対向面間に環状空間部１６又は空間部２７が形成される構造となっているが、凸状部８ｃは必須ではないため、省略することもできる。また、開放電磁弁２０ａと給気用電磁弁２１のうち、いずれか一方を省略しても良い。さらに、給排気孔１７を形成する箇所は、上記実施例に示した場合に限定されるものではなく、適宜変更可能である。そして、図１８では、給排気手段１８が壁部材１１ｄを有する構造体の内部に設置されているが、これに限らず、例えば、給排気手段１８が構造体の外部に設置された構造であっても良い。
【産業上の利用可能性】
【００６８】
請求項１及び請求項５に記載された発明は、宇宙船、人口衛星、ロケット、航空機、塔槽類、熱交換器、真空機器、油圧機器、蒸気機器、配管、血流機器、薬流機器、ポンプ、バルブ、計測器、密室、船舶、潜水艦、深海艇、タンク類、ホース等の接続部に適用可能である。【００６９】
以上説明したように、本発明は、産業界の実に多岐にわたる分野で利用可能である。そして、旧来の継手等とも併用できるため、即時利用が可能である。従って、費用対効果が高いといえる。また、耐震性、安全性にも優れている。さらに、未来産業として期待されるナノテクノロジーの発展をも促すものである。
【符号の説明】
【００７０】
１ａ        配管用継手
１ｂ        配管用継手
１ｃ        配管用継手
１ｄ        配管用継手
１ｅ        配管用継手
１ｆ        配管用継手
１ｇ        配管用継手
１ｈ        配管用継手
１ｉ        配管用継手
１ｊ        配管用継手
２          フランジ
３          流路
４ａ        ボルト
４ｂ        ナット
５ａ        シール面
５ｂ        接続面
５ｃ        内周面
５ｄ        受圧面
５ｅ        受圧面
５ｆ        受圧面
５ｇ        外周面
６          環状溝
７          封止部材
７ａ        内周面
８ａ        凸状部
８ｂ        凸状部
８ｃ        凸状部
９ａ        凹状部
９ｂ        凹状部
１０ａ      ガスケット
１０ｂ      渦巻きガスケット
１０ｃ      ガスケット
１１ａ      壁部材
１１ｂ      圧力容器
１１ｃ      内壁面
１１ｄ      壁部材
１２        接続部
１３        凸部
１４        凹部
１５        環状溝
１５ａ      内面
１６        環状空間部
１７        給排気孔
１８        給排気手段
１９        給排気管
２０ａ      開放電磁弁
２０ｂ      排気用電磁弁
２１        給気用電磁弁
２２        圧力センサ
２３        真空ポンプ
２４        給気ポンプ
２５        制御部
２６        溝
２７        空間部
Ｐ          内圧
Ｐ１               内圧
Ｐ２               外圧
Ｐ３               内圧
Ｑ          圧力
【図１】
2014002626.tif 000006
【図２】
2014002626.tif 000007
【図３】
2014002626.tif 000008
【図４】
2014002626.tif 000009
【図５】
2014002626.tif 000010
【図６】
2014002626.tif 000011
【図７】
2014002626.tif 000012
【図８】
2014002626.tif 000013
【図９】
2014002626.tif 000014
【図１０】
2014002626.tif 000015
【図１１】
2014002626.tif 000016
【図１２】
2014002626.tif 000017
【図１３】
2014002626.tif 000018
【図１４】
2014002626.tif 000019
【図１５】
2014002626.tif 000020
【図１６】
2014002626.tif 000021
【図１７】
2014002626.tif 000022
【図１８】
2014002626.tif 000023
【国際調査報告】
2014002626.tif 000024
2014002626.tif 000025
2014002626.tif 000026
2014002626.tif 000027